(57)【要約】【課題】地震等により設置位置のずれを確実に防止することができる異形管を提供する。【解決手段】異形管本体２と、異形管本体２の外面下部に、異形管本体２の管軸方向に軸に沿って取り付けられた、異形管１の設置位置のずれを防止する位置ずれ防止部材３とからなる。【選択図】図１
2017078482.tif 000002
【特許請求の範囲】
【請求項１】
地中に設置される異形管において、
異形管本体と、前記異形管本体の外面に突出して取り付けられた、前記異形管本体の設置位置のずれを防止する位置ずれ防止部材とからなることを特徴とする異形管。
【請求項２】
前記位置ずれ防止部材は、板状に形成されていることを特徴とする、請求項１に記載の異形管。
【請求項３】
前記位置ずれ防止部材は、前記異形管本体の管軸方向に沿って取り付けられていることを特徴とする、請求項１または２に記載の異形管。
【請求項４】
前記位置ずれ防止部材は、前記異形管本体の下部に取り付けられていることを特徴とする、請求項１から３の何れか１つに記載の異形管。
【請求項５】
前記位置ずれ防止部材は、前記異形管本体の側部に取り付けられていることを特徴とする、請求項１から３の何れか１つに記載の異形管。
【請求項６】
前記位置ずれ防止部材は、間隔をあけて複数個、取り付けられていることを特徴とする、請求項３から５の何れか１つに記載の異形管。
【請求項７】
前記位置ずれ防止部材は、前記異形管本体の周方向に間隔あけて複数個、取り付けられていることを特徴とする、請求項１から３の何れか１つに記載の異形管。
【請求項８】
前記位置ずれ防止部材には、開口が形成されていることを特徴とする、請求項１から７の何れか１つに記載の異形管。
【請求項９】
前記位置ずれ防止部材は、前記異形管本体の周方向に沿って取り付けられていることを特徴とする、請求項１または２に記載の異形管。
【請求項１０】
前記異形管本体には、消火栓が取り付けられることを特徴とする、請求項１から９の何れか１つに記載の異形管。
【請求項１１】
前記異形管本体と前記位置ずれ防止部材は、鋳鉄製であることを特徴とする、請求項１から１０の何れか１つに記載の異形管。
【発明の詳細な説明】
【技術分野】
【０００１】
この発明は、異形管、特に、地震等による設置位置のずれを確実に防止することができる異形管に関するものである。
【背景技術】
【０００２】
異形管を使用して地下に設置される設備の一例として消火栓がある。以下、従来の異形管を使用した消火栓の設置構造を、図面を参照しながら説明する。
【０００３】
なお、異形管とは、地中に埋設される水道管路等の管路を曲げたり、分岐したりする際に使用される管である。
【０００４】
図１５は、従来の異形管を使用した消火栓の設置構造を示す平面図、図１６は、従来の異形管を使用した消火栓の設置構造を示す断面図、図１７は、図１６のＡ−Ａ断面図である。
【０００５】
図１５から図１７において、２１は、消火栓であり、頂部から突出した弁開閉操作軸２２を回転させることにより、放水口２３に接続したホース（図示せず）から放水されるように構成されている。
【０００６】
２４は、従来の異形管であり、その両端には、埋設管路としての水道管路２５が接続されている。消火栓２１は、異形管２４の上部に接続された立ち上げ管２６に、補修弁３２を介して接続されている。異形管２４は、土中に埋設されている。
【０００７】
２７は、消火栓２１の周囲に底板２８を介して構築されたピット、２９は、ピット２７上に設置された受枠、３０は、受枠２９に嵌め込まれた鉄蓋である。
【０００８】
消火栓２１は、以下のようにして設置される。
【０００９】
先ず、地面に開削溝を掘って異形管２４を水道管路２５に接続する。次いで、異形管２４に、立ち上げ管２６および補修弁３２を介して消火栓２１を接続する。次いで、開削溝を埋め戻し土３１により異形管２４の管頂付近まで埋戻し、転圧する。次いで、底板２８上にピット２７を構築する。次いで、ピット２７上に、鉄蓋３０が嵌め込まれる受枠２９を設置する。そして、地表面まで再度、埋め戻し、路面を舗装する。
【発明の概要】
【発明が解決しようとする課題】
【００１０】
消火栓２１は、上述したようにして設置されているが、以下のような問題があった。
【００１１】
異形管２４は、立ち上げ管２６および補修弁３２を介して消火栓２１と一体化しているので、異形管２４の重心位置は高い。また、消火栓２１および補修弁３２は、消火栓２１の使用上、土中に埋設することができない。この結果、例えば、地震等により地面が振動すると、異形管２４に異形管２４の転倒による管軸回りの位置ずれが生じるおそれがあった。
【００１２】
また、異形管２４は、水道管路２５に接続されているので、水道管路２５が地盤変動の大きい箇所に敷設されている場合、地盤変動により水道管路２５により押し引きされて、管軸方向への位置ずれが異形管２４のみに生じるおそれがあった。
【００１３】
従って、この発明の目的は、消火栓等の設置の際に使用される異形管であって、設置位置ずれ防止部材を形成することによって、管軸回りおよび管軸方向の位置ずれを防止することができる異形管を提供することにある。
【課題を解決するための手段】
【００１４】
この発明は、上記目的を達成するためになされたものであり、下記を特徴とするものである。
【００１５】
請求項１に記載の発明は、地中に設置される異形管において、異形管本体と、前記異形管本体の外面に突出して取り付けられた、前記異形管本体の設置位置のずれを防止する位置ずれ防止部材とからなることに特徴を有するものである。
【００１６】
請求項２に記載の発明は、請求項１に記載の発明において、前記位置ずれ防止部材は、板状に形成されていることに特徴を有するものである。
【００１７】
請求項３に記載の発明は、請求項１または２に記載の発明において、前記位置ずれ防止部材は、前記異形管本体の管軸方向に沿って取り付けられていることに特徴を有するものである。
【００１８】
請求項４に記載の発明は、請求項１から３の何れか１つに記載の発明において、前記位置ずれ防止部材は、前記異形管本体の下部に取り付けられていることに特徴を有するものである。
【００１９】
請求項５に記載の発明は、請求項１から３の何れか１つに記載の発明において、前記位置ずれ防止部材は、前記異形管本体の側部に取り付けられていることに特徴を有するものである。
【００２０】
請求項６に記載の発明は、請求項３から５の何れか１つに記載の発明において、前記位置ずれ防止部材は、間隔をあけて複数個、取り付けられていることに特徴を有するものである。
【００２１】
請求項７に記載の発明は、請求項１から３の何れか１つに記載の発明において、前記位置ずれ防止部材は、前記異形管本体の周方向に間隔あけて複数個、取り付けられていることに特徴を有するものである。
【００２２】
請求項８に記載の発明は、請求項１から７の何れか１つに記載の発明において、前記位置ずれ防止部材には、開口が形成されていることに特徴を有するものである。
【００２３】
請求項９に記載の発明は、請求項１または２に記載の発明において、前記位置ずれ防止部材は、前記異形管本体の周方向に沿って取り付けられていることに特徴を有するものである。
【００２４】
請求項１０に記載の発明は、請求項１から９の何れか１つに記載の発明において、前記異形管本体には、消火栓が取り付けられることに特徴を有するものである。
【００２５】
請求項１１に記載の発明は、請求項１から１０の何れか１つに記載の発明において、前記異形管本体と前記位置ずれ防止部材は、鋳鉄製であることに特徴を有するものである。
【発明の効果】
【００２６】
この発明によれば、異形管本体の外面に、異形管本体の軸線方向に沿って、異形管本体の設置位置のずれを防止する位置ずれ防止部材を取り付けることにより、異形管本体の管軸回りの位置ずれを防止することができる。
【００２７】
また、この発明によれば、異形管本体の外面に、異形管本体の周方向に沿って、異形管本体の設置位置のずれを防止する位置ずれ防止部材を取り付けることにより、異形管本体の管軸方向の位置ずれを防止することができる。
【００２８】
また、この発明によれば、位置ずれ防止部材を板状に形成することによって、位置ずれ防止効果を高めることができる。
【００２９】
また、この発明によれば、位置ずれ防止部材を間隔をあけて取り付けることによって、埋め戻し土の転圧性を高めることができる。
【００３０】
また、この発明によれば、位置ずれ防止部材に開口を形成することによって、埋め戻し土の転圧性を高めることができる。
【図面の簡単な説明】
【００３１】
【図１】この発明の異形管を示す正面図である。
【図２】図１のＢ矢視図である。
【図３】この発明の異形管を使用した消火栓の設置構造を示す断面図である。
【図４】図４は、図３のＣ−Ｃ断面図である。
【図５】この発明の別の異形管を示す正面図である。
【図６】この発明のさらに別の異形管を示す正面図である。
【図７】この発明のさらに別の異形管を示す正面図である。
【図８】図７のＤ矢視図である。
【図９】この発明のさらに別の異形管を示す正面図である。
【図１０】図９のＥ矢視図である。
【図１１】この発明のさらに別の異形管を示す正面図である。
【図１２】図１１のＦ矢視図である。
【図１３】この発明のさらに別の異形管を示す正面図である。
【図１４】図１３のＧ矢視図である。
【図１５】従来の異形管を使用した消火栓の設置構造を示す平面図である。
【図１６】従来の異形管を使用した消火栓の設置構造を示す断面図である。
【図１７】図１６のＡ−Ａ断面図である。
【発明を実施するための形態】
【００３２】
次に、この発明の異形管の一実施態様を、図面を参照しながら説明する。
【００３３】
図１は、この発明の異形管を示す正面図、図２は、図１のＢ矢視図である。
【００３４】
図１および図２に示すように、この発明の異形管１は、鋳鉄製で、異形管本体２と異形管本体２の外面から突出して取り付けられた位置ずれ防止部材３とから構成されている。位置ずれ防止部材３は、板状に形成され、異形管本体２の外面下部に、異形管本体２の管軸方向に沿って取り付けられている。位置ずれ防止部材３は、異形管本体２の管軸回りの設置位置のずれを防止する機能を有している。
【００３５】
異形管本体２の上部には、消火栓等が取り付けられる立ち上げ管４が取り付けられ、異形管本体２の一端には、水道管路等が接続される受口５が形成され、他端には、挿口１５が形成されている。
【００３６】
このように構成されている異形管１を使用して、例えば、消火栓を設置するには、上述した従来の異形管の場合と同様に設置する。すなわち、図３および図４に示すように、先ず、地面に開削溝を掘って異形管１を水道管路６に接続する。次いで、異形管１に、立ち上げ管４および補修弁１７を介して消火栓７を接続する。次いで、開削溝を埋め戻し土１２により異形管１の管頂付近まで埋戻し、転圧する。次いで、底板８上にピット９を構築する。次いで、ピット９上に、鉄蓋１１が嵌め込まれる受枠１０を設置する。そして、地表面まで再度、埋め戻し、路面を舗装する。なお、図３および図４において、１３は、消火栓７の弁開閉操作軸、１４は、消火栓７の放水口である。
【００３７】
上述のようにして、この発明の異形管１を使用して消火栓７が設置されるので、例えば、地震等により地面が振動しても位置ずれ防止部材３が埋め戻し土１２中に食い込んでいるので、異形管１の転倒による異形管１の管軸回りの位置ずれを防止することができる。
【００３８】
異形管１としては、図５に示すように、異形管本体２の両端に受口５が形成されたものであっても、図６に示すように、異形管本体２の両端に挿口１５が形成されたものであっても、図７および図８に示すように、位置ずれ防止部材３に開口１６が形成されたものであっても良い。位置ずれ防止部材３に開口１６を形成することによって、転圧時の埋め戻し土１２の充填性を向上させることができる。この場合、開口１６の形成位置は、できるだけ位置ずれ防止部材３の上部が好ましい。これは、開口１６を上部に形成すれば、埋め戻し土１２の充填性の向上効果と異形管本体２の軸回りの回転抑止効果の両方が望めるからである。
【００３９】
以上は、何れも、一枚の位置ずれ防止部材３が異形管本体２の管軸方向に沿って形成されている例であるが、図９および図１０に示すように、複数個（この例では２枚）の位置ずれ防止部材３を異形管本体２の管軸方向に沿って間隔をあけて取り付けても良い。位置ずれ防止部材３を間隔をあけて取り付けることによって、埋め戻し土の転圧性を高めることができる。
【００４０】
さらに、図１１および図１２に示すように、位置ずれ防止部材３を異形管本体２の外面側部に取り付けても良い。
【００４１】
さらに、複数枚の位置ずれ防止部材３を異形管本体２の周方向に間隔をあけて取り付けても良い。
【００４２】
上記何れの例においても、異形管１の管軸回りの位置ずれを確実に防止することができる。
【００４３】
以上は、異形管１の管軸回りの位置ずれを防止する場合であるが、図１３および図１４に示すように、異形管本体２の周方向に沿って別の位置ずれ防止部材３ａを取り付ければ、異形管１の管軸方向の位置ずれを防止することができる。
【００４４】
異形管１は、水道管路６に接続されるので、管軸方向の位置ずれは生じにくいが、水道管路６の耐震性能を向上させるために、水道管路６同士を伸縮代を有する管継手により接続する場合、水道管路６内の水圧により管軸方向の位置ずれが生じる可能性があった。
【００４５】
また、異形管１は、水道管路６に接続されているので、水道管路６が地盤変動が大きい箇所に敷設されている場合、地盤変動により水道管路６により押し引きされて、管軸方向に位置ずれが生じるおそれがあった。
【００４６】
しかし、位置ずれ防止部材３ａを異形管本体２の周方向に沿って取り付けることにより、管軸方向の位置ずれをより確実に防止することができる。
【００４７】
なお、位置ずれ防止部材３と位置ずれ防止部材３ａとを取り付ければ、異形管１の管軸回りの位置ずれと管軸方向の位置ずれの両方を防止することができる。
【００４８】
なお、この発明の異形管１は、消火栓以外の設置に設置する場合にも使用できることが勿論である。
【００４９】
以上、説明したように、この発明によれば、異形管本体２の外面に、異形管本体２の軸線方向に沿って、異形管１の設置位置のずれを防止する位置ずれ防止部材３を取り付けることにより、異形管１の管軸回りの位置ずれを防止することができる。
【００５０】
また、この発明によれば、異形管本体２の外面に、異形管本体２の周方向に沿って、異形管本体２の設置位置のずれを防止する位置ずれ防止部材３ａを取り付けることにより、異形管１の管軸方向の位置ずれを防止することができる。
【００５１】
また、この発明によれば、位置ずれ防止部材３を板状に形成することによって、位置ずれ防止効果を高めることができる。
【００５２】
また、この発明によれば、位置ずれ防止部材３を間隔をあけて取り付けることによって、埋め戻し土の転圧性を高めることができる。
【００５３】
また、この発明によれば、位置ずれ防止部材３に開口１６を形成することによって、埋め戻し土の転圧性を高めることができる。
【符号の説明】
【００５４】
１：異形管
２：異形管本体
３：位置ずれ防止部材
３ａ：位置ずれ防止部材
４：立ち上げ管
５：受口
６：水道管路
７：消火栓
８：底板
９：ピット
１０：受枠
１１：鉄蓋
１２：埋め戻し土
１３：弁開閉操作軸
１４：放水口
１５：挿口
１６：開口
１７：補修弁
２１：消火栓
２２：弁開閉操作軸
２３：放水口
２４：異形管
２５：水道管路
２６：立ち上げ管
２７：ピット
２８：底板
２９：受枠
３０：鉄蓋
３１：埋め戻し土
３２：補修弁
【図１】
2017078482.tif 000003
【図２】
2017078482.tif 000004
【図３】
2017078482.tif 000005
【図４】
2017078482.tif 000006
【図５】
2017078482.tif 000007
【図６】
2017078482.tif 000008
【図７】
2017078482.tif 000009
【図８】
2017078482.tif 000010
【図９】
2017078482.tif 000011
【図１０】
2017078482.tif 000012
【図１１】
2017078482.tif 000013
【図１２】
2017078482.tif 000014
【図１３】
2017078482.tif 000015
【図１４】
2017078482.tif 000016
【図１５】
2017078482.tif 000017
【図１６】
2017078482.tif 000018
【図１７】
2017078482.tif 000019
【手続補正書】
【提出日】平成27年10月22日(2015.10.22)
【手続補正１】
【補正対象書類名】図面
【補正対象項目名】図４
【補正方法】変更
【補正の内容】
【図４】
2017078482.tif 000020